(57)【要約】【課題】柱筋挿入用のピットを形成することなしに、梁筋の組立作業を低位置で行え、しかも、梁筋の自重による撓み量が少なくて、作業階の床から梁筋を支える梁筋水平保持のための支保工が不要になる柱梁先組鉄筋体とそれを用いた先組鉄筋工法を提供する。【解決手段】１層分の長さの柱主筋群７とフープ筋６とから成る左右一対の垂直な柱筋８と、両柱筋に架設された梁主筋群１とスターラップ筋２とから成る水平な梁筋３とで構成され、柱筋の梁筋上端から上方へ突出する上側柱筋部分８ａを、梁筋下端から下方へ突出する下側柱筋部分８ｂよりも長くし、上側柱筋部分の上端近傍部と梁筋上端とを仮設の斜めサポート９で連結した柱梁先組鉄筋体Ａを建物構築位置に吊り込み、前記柱主筋群７と先行して施工された柱主筋群との接合及び前記梁主筋群１と先行して施工された梁主筋群との接合を行う。【選択図】        図１
2004270377.tif 000002
【特許請求の範囲】
【請求項１】
１層分の長さの柱主筋群とその外周に巻き付け固定されたフープ筋とから成る左右一対の垂直な柱筋と、両柱筋を貫通した状態に両柱筋に架設された梁主筋群とその外周に巻き付け固定されたスターラップ筋とから成る水平な梁筋とで横向きキ字形に構成され、柱筋の梁筋上端から上方へ突出する上側柱筋部分を、梁筋下端から下方へ突出する下側柱筋部分よりも長くし、上側柱筋部分の上端近傍部と梁筋上端とを仮設の斜めサポートで連結したことを特徴とする柱梁先組鉄筋体。
【請求項２】
１層分の長さの柱主筋群とその外周に巻き付け固定されたフープ筋とから成る１本の垂直な柱筋と、当該柱筋を貫通した状態に柱筋に架設された梁主筋群とその外周に巻き付け固定されたスターラップ筋とから成る水平な梁筋とで十字形に構成され、柱筋の梁筋上端から上方へ突出する上側柱筋部分を、梁筋下端から下方へ突出する下側柱筋部分よりも長くし、上側柱筋部分の上端近傍部と梁筋上端とを仮設の斜めサポートで連結したことを特徴とする柱梁先組鉄筋体。
【請求項３】
建物構築位置以外の場所で、請求項１又は２に記載の柱梁先組鉄筋体を組み立て、この柱梁先組鉄筋体を建物構築位置に吊り込み、前記柱主筋群と先行して施工された柱主筋群との接合及び前記梁主筋群と先行して施工された梁主筋群との接合を行うことを特徴とする先組鉄筋工法。
【発明の詳細な説明】
【０００１】
【発明の属する技術分野】
本発明は、柱梁先組鉄筋体とそれを用いた先組鉄筋工法に関するものである。
【０００２】
【従来の技術】
【特許文献１】
特公平６−８６７７０号公報
【特許文献２】
特許第３３２４８０７号公報
【０００３】
近年、ＲＣ造建物の高層化に伴い、柱梁等の部材断面が大きくなり、これに用いられる鉄筋も太径で、配筋量も多くなっている。一方で、労務の高齢化、熟練工の不足が建築業界の課題となっている。そのため、柱梁等を先組ユニット化する工業化工法、例えば、建物構築位置の近くに設けられた鉄筋組立作業エリヤにおいて、１層分の長さの柱主筋群とその外周に巻き付け固定されたフープ筋とから成る左右一対の垂直な柱筋と、両柱筋に、当該柱筋を貫通した状態に架設された梁主筋群とその外周に巻き付け固定されたスターラップ筋とから成る水平な梁筋とで構成された柱梁先組鉄筋体を組み立て、これを揚重機で建物構築位置に吊り込む先組鉄筋工法が採用されるケースが多い。
【０００４】
しかしながら、先組鉄筋工法を採用した場合、鉄筋組立作業エリヤで柱主筋群を垂直に立てた状態で鉄筋の組立作業を行うと、梁筋の組立が高い位置で行われることになり、大規模な足場が必要になる他、高所での作業量が多いため、作業能率が悪いばかりでなく、安全上、問題がある。
【０００５】
このような問題の解決を意図して、上記特許文献１（特公平６−８６７７０号公報）や特許文献２（特許第３３２４８０７号公報）に記載の発明が提案されている。これらの従来例によれば、何れも、梁筋の組立作業を地面近くの低位置で行える利点があるが、前者の従来例においては、作業床に柱筋挿入用のピットを形成しなければならないという問題点があり、後者の従来例においては、梁筋が柱筋に対して一定範囲内で上下移動自在に支持された柱梁先組鉄筋体（言わば半製品の柱梁先組鉄筋体）を建物構築位置（建物施工階）に吊り込み、柱筋の接合後、フープ筋の一部を柱主筋群に巻き付け固定することが必要であり、柱梁先組鉄筋体に対する建物施工階での配筋作業が残っているため、速やかに後工程へと進むことができないという問題点があった。
【０００６】
殊に、上記の両従来例においては、何れも、建物施工階に吊り込んだ柱梁先組鉄筋体の取付け時に、梁筋を水平に保持することが必要とされ、梁筋を作業階の床から支保工（サポート）で支えて、梁筋の水平保持を行っている。従って、この梁筋水平保持の支保工が型枠組立工事の邪魔になり、型枠工事の作業性を低下させるばかりでなく、梁筋水平保持の支保工を介して作業階のスラブコンクリート（若材齢のスラブコンクリート）に梁筋の荷重がかかり、サポート設置作業等による震動が生じたりするので、コンクリート強度発現上、好ましくないといった問題点があった。
【０００７】
【発明が解決しようとする課題】
本発明は、上記の問題点を考慮に入れてなされたものであって、その目的とするところは、柱筋挿入用のピットを形成することなしに、梁筋の組立作業を低位置で行え、しかも、梁筋の自重による撓み量が少なくて、作業階の床から梁筋を支える梁筋水平保持のための支保工が不要になる柱梁先組鉄筋体とそれを用いた先組鉄筋工法を提供するにある。
【０００８】
【課題を解決するための手段】
上記の課題を解決するために、本発明が講じた技術的手段は、次のとおりである。即ち、請求項１に記載の発明による柱梁先組鉄筋体は、１層分の長さの柱主筋群とその外周に巻き付け固定されたフープ筋とから成る左右一対の垂直な柱筋と、両柱筋を貫通した状態に両柱筋に架設された梁主筋群とその外周に巻き付け固定されたスターラップ筋とから成る水平な梁筋とで横向きキ字形に構成され、柱筋の梁筋上端から上方へ突出する上側柱筋部分を、梁筋下端から下方へ突出する下側柱筋部分よりも長くし、上側柱筋部分の上端近傍部と梁筋上端とを仮設の斜めサポートで連結したことを特徴としている。
【０００９】
請求項２に記載の発明による柱梁先組鉄筋体は、１層分の長さの柱主筋群とその外周に巻き付け固定されたフープ筋とから成る１本の垂直な柱筋と、当該柱筋を貫通した状態に柱筋に架設された梁主筋群とその外周に巻き付け固定されたスターラップ筋とから成る水平な梁筋とで十字形に構成され、柱筋の梁筋上端から上方へ突出する上側柱筋部分を、梁筋下端から下方へ突出する下側柱筋部分よりも長くし、上側柱筋部分の上端近傍部と梁筋上端とを仮設の斜めサポートで連結したことを特徴としている。
【００１０】請求項３に記載の発明による先組鉄筋工法は、建物構築位置以外の場所で、請求項１又は２に記載の柱梁先組鉄筋体を組み立て、この柱梁先組鉄筋体を建物構築位置に吊り込み、前記柱主筋群と先行して施工された柱主筋群との接合及び前記梁主筋群と先行して施工された梁主筋群との接合を行うことを特徴としている。
【００１１】
上記の構成によれば、柱主筋群の外周に必要量のフープ筋が巻き付け固定された殆ど完全な柱梁先組鉄筋体であるから、継手部以外には施工階でフープ筋を巻き付け固定する作業が無く、柱梁先組鉄筋体を接合したら、速やかに後工程の作業に取りかかることができ、それでいて、１層分の長さに設定された柱筋のうち、梁筋上端から上方へ突出する上側柱筋部分を、梁筋下端から下方へ突出する下側柱筋部分よりも長くしたので、換言すれば、一般的な柱梁先組鉄筋体とは、逆に、階高に相当する長さの柱筋の梁筋下端から下方へ突出する下側柱筋部分が、柱筋の梁筋上端から上方へ突出する上側柱筋部分より短いので、地面に柱筋挿入用のピットを形成することなく、梁筋の組立作業を低位置で行えることになる。
【００１２】
殊に、柱筋のうち、梁筋上端から上方へ突出する上側柱筋部分が長いので、上側柱筋部分の上端近傍部と梁筋上端とを連結する斜めサポートの角度を十分にとることができ、これによって梁筋の自重による撓み量を少なくできる。即ち、上側柱筋部分の梁筋上端からの突出高さが低いと、上側柱筋部分の上端近傍部と梁筋上端とを斜めサポートで連結しても、斜めサポートが水平に近い傾斜角度となり、梁の撓み防止の役目を果たし得ないし、斜めサポートを急角度にするために、斜めサポートの下端を梁筋下端に連結すれば、梁主筋群やスターラップ筋が邪魔になって、梁筋下端に対する斜めサポートの連結作業や取外し作業が面倒であり、型枠工事後、斜めサポートを取り外す場合には、梁の側型枠も邪魔になるため、一層面倒である。
【００１３】
この点、上記の構成によれば、上側柱筋部分の梁筋上端からの突出高さが高いので、斜めサポートの下端を梁筋上端に連結しても、斜めサポートを急角度にすることができるのであり、従って、斜めサポートによる梁のサポート機能が十分に発揮されると共に、梁筋に対する斜めサポートの連結作業や取外し作業を容易に行える利点がある。
【００１４】
また、斜めサポートによる梁のサポート機能が十分に発揮されるため、梁筋が自重で撓む量が少なくなる。従って、作業階の床から梁筋を支える梁筋水平保持のための支保工が不要になり、若材齢のスラブコンクリートの強度発現に悪影響を与える虞がない。
【００１５】
【発明の実施の形態】
本発明に係る柱梁先組鉄筋体Ａとそれを用いた先組鉄筋工法を例示図に基づいて説明すると、図１の（Ａ）に示すように、建物構築位置の近くに設けられた鉄筋組立作業エリヤにおいて、先ず、２スパン分の長さ（図示の例では、１スパン分の長さの梁主筋を継ぎ足して２スパン分としている。）を有する梁主筋群１とその外周に巻き付け固定したスターラップ筋２とから成る水平な梁筋３を組み立てる。この作業は、作業床４に背の低い架台５を設置し、架台５に梁の上端主筋を支持させ、上端主筋にスターラップ筋２を介して下端主筋を支持させることにより、作業床４に柱筋挿入用ピットを形成することなく低位置で行なわれる。柱筋組立位置に対応する梁筋３の直下には、夫々、フープ筋６を設置する。
【００１６】
しかる後、図１の（Ｂ）に示すように、柱筋組立位置の上に位置決めした１層分の長さの柱主筋群７とその外周に巻き付け固定したフープ筋６とから成る左右一対の垂直な柱筋８を組み立てると共に、両柱筋８と架台５で支持されている梁筋３とを番線で結束する等して互いに連結し、梁筋３を左右の柱筋８に、当該柱筋８を貫通した状態に架設する。梁筋３は低位置に架設されているので、図１の（Ｂ）に示すように、柱筋８の梁筋３上端から上方へ突出する上側柱筋部分８ａの長さＬ１は、梁筋３下端から下方へ突出する下側柱筋部分８ｂの長さＬ２よりも長くなる。
【００１７】
尚、上側柱筋部分８ａの長さＬ１は、柱筋８の接合部の高さが柱内法寸法（梁上端と梁下端の距離）の１／２以上になる範囲で任意に設定できる。図示の例では、上側柱筋部分８ａの長さＬ１が１５００ｍｍ程度、下側柱筋部分８ｂの長さＬ２が５６０ｍｍ程度、梁筋３の上下幅Ｌ３が９００ｍｍ程度に設定されている。梁作業床４は、柱主筋群７の位置出しができるように、捨てコンクリートで整地してある。図示しないが、作業床４には、柱主筋の下端部を挿入する位置決め用孔が形成された合板製テンプレートを設置して、柱主筋群７の位置決めを行うことが、柱筋組立作業の能率化を図る点で望ましい。
【００１８】
しかる後、図１の（Ｃ）に示すように、上側柱筋部分８ａの上端近傍部と梁筋３上端とを仮設の斜めサポート９で連結して、横向きキ字形の柱梁先組鉄筋体Ａを完成する。斜めサポート９としては、ターンバックル９ａ付きのものが使用される。斜めサポート９の下端は、梁の上端主筋、スターラップ筋２の何れに連結してもよい。また、斜めサポート９による梁筋上端の支持（斜めサポート９と梁筋３上端との連結）は、梁内法寸法の略１／４程度の位置で行われるようにすることが望ましい。斜めサポート９の上端は、柱主筋、フープ筋の何れに連結してもよい。何れの場合も、図示のように、柱筋８の両側に斜めサポート９を設置することにより、本設のフープ筋が引張材となり、引張補強を行うための仮設材が不要になる利点がある。
【００１９】
次に、図１の（Ｄ）〜図２の（Ａ），（Ｂ），（Ｃ）に示すように、柱梁先組鉄筋体Ａを揚重機（図示せず）で建物構築位置に吊り込む。揚重機による吊込みは、図１の（Ｄ）、図２の（Ｂ）に示すように、トラバーサー１０に複数本の吊ロープ１１で吊り下げ支持させて行われる。上側柱筋部分８ａの上端近傍部とトラバーサー１０とを転倒防止用ロープ１１ａで連結する場合は、図１の（Ｃ）に示したように、柱梁先組鉄筋体Ａを組み立てた時点で、左右の柱筋８の上側柱筋部分間に、命綱を係止するための親綱１２を張り渡しておき、トラバーサー１０を分離する際、梁筋３に載った作業員が、命綱で安全を確保しながら転倒防止用ロープ１１ａを上側柱筋部分８ａから外せるようにする。また、梁筋３の両端側に夫々介しゃくロープ１３を取り付けておき、図２の（Ｂ）に示すように、作業員が介しゃくロープ１３で誘導しながら柱梁先組鉄筋体Ａを吊り込むことが望ましい。
【００２０】
しかる後、図２の（Ｃ）に示すように、柱梁先組鉄筋体Ａの柱主筋群７と先行して施工された柱主筋群７との接合及び前記梁主筋群１と先行して施工された梁主筋群１との接合を行う。接合手段としては、柱主筋や梁主筋の軸芯方向への移動や軸芯周りでの回転を行わずに接合できるネジ式カップラー、グラウト式カップラー等が使用される。
【００２１】
尚、型枠工事の際、梁の底型枠に不要な梁荷重がかかると型枠工事がしにくいので、斜めサポート９は、梁筋３が設計上の梁レベルより少し上に位置するように緊張させておくほうが望ましい。そして、斜めサポート９は、コンクリート打設前に行われる梁の底型枠の施工レベルチェック時までに取り外せばよい。
【００２２】
上記の構成によれば、柱主筋群７の外周に必要量のフープ筋６が巻き付け固定された殆ど完全な柱梁先組鉄筋体Ａであるから、継手部以外には施工階でフープ筋６を巻き付け固定する作業が無く、柱梁先組鉄筋体Ａを接合したら、速やかに後工程の作業に取りかかることができる。
【００２３】
それでいて、１層分の長さに設定された柱筋８のうち、梁筋３上端から上方へ突出する上側柱筋部分８ａを、梁筋３下端から下方へ突出する下側柱筋部分８ｂよりも長くしたので、下側柱筋部分８ｂが短くなり、地面に柱筋挿入用のピットを形成することなく、梁筋３の組立作業を低位置で行えることになる。
【００２４】
殊に、柱筋８のうち、梁筋３上端から上方へ突出する上側柱筋部分８ａが長いので、上側柱筋部分８ａの上端近傍部と梁筋３上端とを連結する斜めサポート９の角度を十分にとることができ、これによって梁筋の自重による撓み量を少なくできるので、作業階の床から梁筋３を支える梁筋水平保持のための支保工が不要になり、若材齢のスラブコンクリートの強度発現に悪影響を与える虞がなく、しかも、斜めサポート９の下端を梁筋３上端に連結するため、梁筋３に対する斜めサポート９の連結作業や取外し作業を容易に行えるのである。
【００２５】
図３は本発明に係る柱梁先組鉄筋体Ａを模式的に例示したものである。即ち、図３の（Ａ）は、図１、図２で説明したとおり、２スパンの梁鉄筋３と２本の柱筋８とで構成された横向きキ字形の柱梁先組鉄筋体Ａを模式的に示したもので、９は斜めサポート、丸印ａはジョイント部を示している。
【００２６】
図３の（Ｂ）は、１スパンの梁鉄筋３と１本の柱筋８とで構成された十字形の柱梁先組鉄筋体Ａ、つまり、１層分の長さの柱主筋群とその外周に巻き付け固定されたフープ筋とから成る１本の垂直な柱筋８と、当該柱筋８を貫通した状態に柱筋８に架設された梁主筋群とその外周に巻き付け固定されたスターラップ筋とから成る水平な梁筋３とで十字形に構成され、柱筋８の梁筋３上端から上方へ突出する上側柱筋部分を、梁筋下端から下方へ突出する下側柱筋部分よりも長くし、上側柱筋部分の上端近傍部と梁筋上端とを仮設の斜めサポート９で連結した柱梁先組鉄筋体Ａを模式的に示したものである。
【００２７】
図３の（Ｃ）は、住棟の妻側に採用されるト字形の柱梁先組鉄筋体Ａを模式的に示したものである。これら三種類の柱梁先組鉄筋体Ａは、施工の際、物件の柱の本数に応じて柱梁先組鉄筋体Ａを割り付ける場合に組み合わせて使用される。
【００２８】
【発明の効果】
本発明は、上述した構成よりなるため、柱筋挿入用のピットを形成することなしに、梁筋の組立作業を低位置で行え、しかも、梁筋の自重による撓み量が少なくて、作業階の床から梁筋を支える梁筋水平保持のための支保工が不要になる等の効果がある。
【図面の簡単な説明】
【図１】本発明に係る柱梁先組鉄筋体とそれを用いた先組鉄筋工法を説明する概略側面図である。
【図２】本発明に係る柱梁先組鉄筋体とそれを用いた先組鉄筋工法を説明する概略側面図である。
【図３】本発明に係る柱梁先組鉄筋体を模式的に例示した図である。
【符号の説明】
Ａ…柱梁先組鉄筋体、３…梁筋、８…柱筋、８ａ…上側柱筋部分、８ｂ…下側柱筋部分、９…斜めサポート。
【図１】
2004270377.tif 000003
【図２】
2004270377.tif 000004
【図３】
2004270377.tif 000005